(57)【要約】【課題】  扉を開放することなく配電盤内部の観察を可能とすることができる配電盤のラベル取付構造を提供する。【解決手段】  コントロールセンタの各ユニットの表示部１４を、扉１３の前面に設けられたホルダ部１５と、このホルダ部１５に差込まれたラベル３４とから構成する。ホルダ部１５は、前面部に開口部１５ａを有する枠状をなしている。前記扉１３には、前記ホルダ部１５の枠内に位置して配電盤の内部を覗くための覗き窓３１が設けられており、前記覗き窓３１を塞ぐようにして前記ラベル３４が前記ホルダ部１５に差込まれるようになっている。【選択図】  図２
2005210900.tif 000002
【特許請求の範囲】
【請求項１】
内部に開閉器などを有する配電盤の扉の前面に設けられるラベルの取付構造において、
前記扉に、前記ラベルが着脱可能に差込まれる枠状をなすホルダ部を設けると共に、そのホルダ部の枠内に位置して前記配電盤の内部を覗くための覗き窓を設け、
前記ホルダ部に前記覗き窓を塞ぐようにして前記ラベルを差込むようにしたことを特徴とする配電盤のラベル取付構造。
【請求項２】
ラベルは、透明な材料により形成されると共に、その背面側に所定の光が照射されると透明に変化する光変色材料を配した状態でホルダ部に差込まれることを特徴とする請求項１記載の配電盤のラベル取付構造。
【請求項３】
内部に開閉器などを有する配電盤の扉の前面に設けられるラベルの取付構造において、
前記扉に、前記ラベルが着脱可能に差込まれる枠状をなすホルダ部を設けると共に、そのホルダ部の枠内に位置して前記配電盤と連通する開口部を設け、
透明な材料により形成されたラベルを、その背面側に温度変化に応じて色が変化する熱変色材料を配した状態で前記ホルダ部に差込むようにしたことを特徴とする配電盤のラベル取付構造。
【発明の詳細な説明】
【技術分野】
【０００１】
本発明は、配電盤の扉面に設けられ、当該配電盤内に配設されている機器の名称などが表示されるラベルの取付構造に関する。
【背景技術】
【０００２】
一般に、配電盤の扉の前面には銘板と称されるものが取付けられていて、この銘板に、負荷や配電盤内に収納されている機器の種類や定格、さらには保守・点検上必要な事項等を表示するようにしている。
【０００３】
このような銘板には、図７に示すように、例えば紙製のラベル１に必要事項を記載して、このラベル１を、配電盤の扉２の前面に形成されたホルダ部３内に差込むことにより構成したものがある。この場合、ラベル１は、前面に記載された表示を汚れ等から保護するために透明なカバー４により覆われて前記ホルダ部３に差込まれている。
【発明の開示】
【発明が解決しようとする課題】
【０００４】
ところで、配電盤の扉２は、配電盤内部の機器、例えば開閉器との間にインタロックがとられており、開閉器が閉状態、つまり負荷が通電中のときには扉２を開放できないようになっている。従って、内部機器の保守・点検のために扉２を開放するときには、わざわざ開閉器等を開状態にして負荷への給電路を一旦遮断しなければならず、そのため、扉２を開放することなく配電盤の内部を観察できるようにすることが要望されていた。
【０００５】
本発明は上記事情に鑑みてなされたもので、その目的は、扉を開放することなく配電盤内部の観察を可能とすることができる配電盤のラベル取付構造を提供するにある。
【課題を解決するための手段】
【０００６】
本発明は、配電盤の扉に、ラベルが着脱可能に差込まれる枠状をなすホルダ部を設けると共に、そのホルダ部の枠内に位置して前記配電盤の内部を覗くための覗き窓を設け、前記ホルダ部に前記覗き窓を塞ぐようにして前記ラベルを差込むようにしたことを特徴とする。
【０００７】
また、本発明は、配電盤の扉のうち、ホルダ部の枠内に位置して前記配電盤と連通する開口部を設け、透明な材料により形成されたラベルを、その背面側に温度変化に応じて色が変化する熱変色材料を配した状態で前記ホルダ部に差込むようにしたことを特徴とする。
【発明の効果】
【０００８】
本発明によれば、ホルダ部からラベルを抜出すことにより、扉を開放することなく覗き窓から配電盤の内部に収納されている開閉器などの機器を監視することができるので、配電盤の保守・点検が容易になる。
また、開口部に対応して設けられた熱変色材料の色の変化により配電盤内部の異常を知ることができる。
【発明を実施するための最良の形態】
【０００９】
以下、本発明をコントロールセンタとして構成されている配電盤に適用したいくつかの実施例について、図１ないし図５を参照しながら説明する。
まず、第１の実施例について図１ないし図３を参照して説明する。図１は、コントロールセンタ１１の全体構成を示しており、電磁開閉器や配線用遮断器等（図示せず）が単位回路ごとにまとめられた複数のユニット１２から構成されている。
【００１０】
各ユニット１２は、閉鎖した箱に組み込まれており、前面に扉１３が設けられている。この扉１３とユニット１２内の電磁開閉器等との間にはインタロックがとられており、前記電磁開閉器等が閉状態であるとき、すなわち負荷が通電中であるときには扉１３を開放できないように構成されている。また、各ユニット１２の扉１３の前面のうち例えば右下部には、それぞれのユニット１２の内部に配置されている機器の種類や定格、形式を表示するための表示部（銘板）１４が設けられる。
【００１１】
図２に示すように、前記表示部１４は、ホルダ部１５に必要事項が記載された例えば紙製のラベル１６が着脱可能に差込まれて構成されている。前記ホルダ部１５は、前面に矩形状の開口部１５ａを有する横長の矩形枠状をなし、その右側辺部に前記ラベル１６が出入れされる出入口１５ｂを有している。
【００１２】
また、扉１３のうちホルダ部１５の枠内に位置して矩形状の覗き窓３１が形成されている。この場合、図３に示すように、覗き窓３１からユニット１２の内部に配設された電磁開閉器３２及び過負荷継電器３３の動作状態や取付状態等が確認できるような位置に、ホルダ部１５は設けられている。
一方、図２に示すように、前記ラベル１６は、その前面を例えば透明プラスチックで形成されたカバー３４により覆うように構成されている。この場合、ラベル１６及びカバー３４はほぼ同じ大きさで、前記覗き窓３１よりも大きく形成されている。
【００１３】
このような構成によれば、ホルダ部１５からラベル１６を取出し、覗き窓３１からユニット１２の内部を覗き込むことができるので、通電中であっても電磁開閉器３２及び過負荷継電器３３の動作状態や取付状態等を確認できる。従って、電磁開閉器３２等を開状態にして負荷を停止させなくても、保守・点検を行うことができ、作業性が向上する。
【００１４】
図４は本発明の第２の実施例を示したものであり、上記第１の実施例とは次の点が異なっている。まず、ラベル４１は前面を粘着面とした例えばプラスチックフィルムからなる透明シートで、カバー３４に貼付けられるようになっている。そして、ラベル４１の背面側に所定の光（例えば紫外線）が照射されると透明に変化する光変色材料により形成されたシート４２を配してホルダ部１５内に差込むように構成している。尚、前記シート４２は通常時は例えば白色を呈している。
【００１５】
さて、ユニット１２内部の保守・点検を行いたい場合には、表示部１４に対して所定の光（例えば紫外線）を照射し、シート４２を透明に変化させる。すると、通常時はシート４２の後ろ側に隠れていた覗き窓３１が透明なシート４２及びラベル４１並びにカバー３４を通して外部から見えるようになる。従って、ホルダ部１５からラベル４１などを取外すことなく覗き窓３１からユニット１２の内部を覗き込んで、内部の電磁開閉器３２等の動作状態や取付状態を確認することができる。
尚、ラベル４１とシート４２とを別部材にする代わりに、ラベル自体を光変色材料により形成することも可能である。
【００１６】
図５は、本発明の第３の実施例を示したものであり、上記第１の実施例とは次の点が異なっている。即ち、ホルダ部１５には、ラベル５１がファイル１７の内部に挟み込まれて差し込まれるように構成されている。前記ファイル１７は、例えばアクリル，塩化ビニル等の透明プラスチックからなる薄板を二つ折にしたもので、外力が加わらないと、弾性により広がろうとする復元力を有している。また、ファイル１７は、二つ折の状態において、前記ホルダ部１５の枠内にちょうど収まる大きさとなっている。
【００１７】
ラベル５１をホルダ部１５に保持させるにあたっては、折目を下側にしたファイル１７内にラベル５１を挟み込み、ファイル１７を折畳み状態に押えながら、出入口１５ｂからホルダ部１５内に一杯まで差込むようにする。すると、ファイル１７はその復元力により広がろうとするので、ラベル５１を有したファイル１７がホルダ部１５内に比較的大きな力で保持される。
【００１８】
従って、表示部１４に外部からの衝撃が加わっても、ファイル１７がホルダ部１５からずれたり外れたりし難く、その結果、ファイル１７内のラベル５１が外れることも効果的に防止できる。
また、ファイル１７をホルダ部１５に固定するために特別な手段を必要としないため、ファイル１７の着脱が容易になる。そのため、表示部１４の表示を変更するためにラベル５１を交換したい場合には、ファイル１７の広がりを戻すようにしながら引出すことにより、ホルダ部１５から簡単にファイル１７及びラベル５１を取外すことができる。
【００１９】
一方、ラベル５１は、透明性を有する材料により形成されていると共に、ファイル１７のうち前記ラベル５１の背面側（即ち、扉１３側）に位置する部分の裏面部には、温度変化に応じて色が変化する熱変色材料Ｐが塗布されている。そして、ユニット１２の扉１３には、前記ホルダ部１５の枠内に位置してユニット１２内部と連通する矩形状の開口部５２が形成されている。
従って、ラベル５１が挟み込まれたファイル１７がホルダ部１５内に差込まれたとき、ファイル１７の熱変色材料Ｐが塗布されている面により開口部５２は塞がれるようになり、開口部５２を介してユニット１２内部の空気が温度が熱変色材料Ｐに触れるようになる。
【００２０】
ここで、熱変色材料Ｐとしては、例えばペーパー温度計等に使用される示温塗料が使用されている。この場合、この示温塗料は、温度が約４０℃以下のときには白色を呈し、ユニット内部の温度が上昇するにつれて徐々に変色し、約６５℃を越えると赤色を呈するものとする。尚、通常時においては、ユニット１２内部の温度は約４０℃であり、一般に、１０５℃を越えると、ユニット１２内部に配設されている機器は故障するものとされている。
【００２１】
このような構成によれば、ファイル１７に塗布された熱変色材料Ｐの色を適宜確認することにより、ユニット１２内の機器に異常が発生しているか否かを判断することができる。そのため、ユニット１２内の機器の保守・点検のために扉１３を開放させる必要がなく便利である。しかも、熱変色材料Ｐが赤色に変化する温度を、ユニット１２内部の機器が故障する温度よりも低く設定したので、前記機器の故障を未然に防止できる。
【００２２】
尚、この場合、開口部５２を覗き窓として利用することもできることは勿論である。また、ラベル５１をファイル１７に挟み込む構成に代えて、図６に示す第４の実施例のように、ラベル６１の裏面に熱変色材料Ｐを塗布し、このラベル６１と透明なカバー６２とをホルダ部１５に差込むようにしても良い。この場合も、上記第３の実施例と同様の作用効果を得ることができる。
【図面の簡単な説明】
【００２３】
【図１】本発明の第１の実施例を示すもので、コントロールセンタの全体構成を概略的に示す斜視図
【図２】ホルダ部にラベル及びファイルが差込まれる様子を示す分解斜視図
【図３】コントロールセンタのユニット扉を開放した様子を示す斜視図
【図４】本発明の第２の実施例を示す図２相当図
【図５】本発明の第３の実施例を示す図２相当図
【図６】本発明の第４の実施例を示す図２相当図
【図７】従来例を示す図２相当図
【符号の説明】
【００２４】
図中、１１はコントロールセンタ（配電盤）、１３は扉、１５はホルダ部、３４，４１，５１，６１はラベル、３２は電磁開閉器、３３は過負荷継電器、４２はシート（光変色材料）、Ｐは熱変色材料を示す。
【図１】
2005210900.tif 000003
【図２】
2005210900.tif 000004
【図３】
2005210900.tif 000005
【図４】
2005210900.tif 000006
【図５】
2005210900.tif 000007
【図６】
2005210900.tif 000008
【図７】
2005210900.tif 000009